(57)【特許請求の範囲】
【請求項１】
上端にボトル蓋（１１）が設けられるティーボトル（１）を備え、前記ティーボトル（１）がボトル体を備えるロータリー式ティーボトルであって、
前記ティーボトル（１）は更に回転アセンブリ（１６）、第２濾過網（１５）を備え、前記ボトル体は上容器（１２）、下容器（１３）を備え、前記第２濾過網（１５）が前記回転アセンブリ（１６）に固定され、前記回転アセンブリ（１６）は上部回転アセンブリ、下部回転アセンブリを含み、前記上部回転アセンブリが前記上容器（１２）に固定接続され、前記上部回転アセンブリが前記下部回転アセンブリに回転可能に固定され、前記下部回転アセンブリが前記下容器（１３）に固定接続され、前記上部回転アセンブリの下表面が前記下部回転アセンブリの上表面に当接され、前記上部回転アセンブリと前記下部回転アセンブリとの間に所定の粗度を維持し、前記上部回転アセンブリ、前記下部回転アセンブリ内のいずれにも少なくとも１つの貫通孔が設けられ、前記上部回転アセンブリの貫通孔が前記下部回転アセンブリの貫通孔に対応して連通しており、前記上部回転アセンブリがある角度回転すると、前記上部回転アセンブリの貫通孔と前記下部回転アセンブリの貫通孔とがずれて閉じられるようになり、
前記上部回転アセンブリは上部回転シェル（１６１）、第１回転弁（１６４）を備え、前記下部回転アセンブリは第２回転弁（１６５）、下部回転シェル（１６６）を備え、前記第２濾過網（１５）が前記上部回転シェル（１６１）の上表面に固定され、前記上容器（１２）が前記上部回転シェル（１６１）に固定接続され、前記第１回転弁（１６４）が前記上部回転シェル（１６１）に固定され、前記下部回転シェル（１６６）が前記下容器（１３）に固定接続され、前記第２回転弁（１６５）が前記下部回転シェル（１６６）に固定され、前記第１回転弁（１６４）の下表面が前記第２回転弁（１６５）の上表面に当接され、前記第１回転弁（１６４）と前記第２回転弁（１６５）との間に所定の表面粗度を維持し、前記上部回転シェル（１６１）、前記下部回転シェル（１６６）内にいずれも貫通孔が設けられ、前記第１回転弁（１６４）、前記第２回転弁（１６５）内のいずれにも少なくとも１つの水通過孔（１６８）が設けられ、前記貫通孔、水通過孔（１６８）が互いに連通して通路を形成し、前記下部回転シェル（１６６）の上表面に少なくとも１つの突起ブロック（１７０）が設けられ、前記上部回転シェル（１６１）の下表面に少なくとも１つの滑り溝が設けられ、前記突起ブロック（１７０）が前記滑り溝（１７１）に係合され、前記上部回転シェル（１６１）がある角度回転すると、前記突起ブロック（１７０）が前記滑り溝（１７１）に当接されるようになって、前記第１回転弁（１６４）の水通過孔（１６８）と前記第２回転弁（１６５）の水通過孔（１６８）とがずれて閉じられるようになり、
前記回転アセンブリ（１６）は更に回転軸（１６２）を備え、前記上部回転シェル（１６１）が前記回転軸（１６２）に被装して固定され、前記回転軸（１６２）内に貫通孔が設けられ、前記第１回転弁（１６４）の上表面が前記回転軸（１６２）の一端に固定されることを特徴とするロータリー式ティーボトル。
【請求項２】
前記回転アセンブリ（１６）は更に密閉部材（１６３）と弁固定台（１６７）を備え、前記第２回転弁（１６５）の下表面が前記弁固定台（１６７）の上表面に固定され、前記下部回転シェル（１６６）が前記弁固定台（１６７）に固定され、前記第１回転弁（１６４）、前記第２回転弁（１６５）がいずれも前記下部回転シェル（１６６）の貫通孔内に位置し、
前記上容器（１２）と前記上部回転シェル（１６１）との接続箇所に前記密閉部材（１６３）が設けられ、前記回転軸（１６２）と前記上部回転シェル（１６１）との間に前記密閉部材（１６３）が設けられ、前記回転軸（１６２）と前記下部回転シェル（１６６）との間に前記密閉部材（１６３）が設けられ、前記回転軸（１６２）と前記第１回転弁（１６４）との間に前記密閉部材（１６３）が設けられ、前記上部回転シェル（１６１）と前記下部回転シェル（１６６）との間に前記密閉部材（１６３）が設けられ、前記弁固定台（１６７）と前記第２回転弁（１６５）との間に前記密閉部材（１６３）が設けられることを特徴とする請求項１に記載のロータリー式ティーボトル。
【請求項３】
前記第２濾過網（１５）の内表面と前記回転軸（１６２）の上表面との距離が５ｍｍ〜１０ｍｍであることを特徴とする請求項１に記載のロータリー式ティーボトル。
【請求項４】
上端にボトル蓋（１１）が設けられるティーボトル（１）を備え、前記ティーボトル（１）がボトル体を備えるロータリー式ティーボトルであって、
前記ティーボトル（１）は更に回転アセンブリ（１６）、第２濾過網（１５）を備え、前記ボトル体は上容器（１２）、下容器（１３）を備え、前記第２濾過網（１５）が前記回転アセンブリ（１６）に固定され、前記回転アセンブリ（１６）は上部回転アセンブリ、下部回転アセンブリを含み、前記上部回転アセンブリが前記上容器（１２）に固定接続され、前記上部回転アセンブリが前記下部回転アセンブリに回転可能に固定され、前記下部回転アセンブリが前記下容器（１３）に固定接続され、前記上部回転アセンブリの下表面が前記下部回転アセンブリの上表面に当接され、前記上部回転アセンブリと前記下部回転アセンブリとの間に所定の粗度を維持し、前記上部回転アセンブリ、前記下部回転アセンブリ内のいずれにも少なくとも１つの貫通孔が設けられ、前記上部回転アセンブリの貫通孔が前記下部回転アセンブリの貫通孔に対応して連通しており、前記上部回転アセンブリがある角度回転すると、前記上部回転アセンブリの貫通孔と前記下部回転アセンブリの貫通孔とがずれて閉じられるようになり、
前記上部回転アセンブリは上部回転シェル（１６１）、第１回転弁（１６４）を備え、前記下部回転アセンブリは第２回転弁（１６５）、下部回転シェル（１６６）を備え、前記第２濾過網（１５）が前記上部回転シェル（１６１）の上表面に固定され、前記上容器（１２）が前記上部回転シェル（１６１）に固定接続され、前記第１回転弁（１６４）が前記上部回転シェル（１６１）に固定され、前記下部回転シェル（１６６）が前記下容器（１３）に固定接続され、前記第２回転弁（１６５）が前記下部回転シェル（１６６）に固定され、前記第１回転弁（１６４）の下表面が前記第２回転弁（１６５）の上表面に当接され、前記第１回転弁（１６４）と前記第２回転弁（１６５）との間に所定の表面粗度を維持し、前記上部回転シェル（１６１）、前記下部回転シェル（１６６）内にいずれも貫通孔が設けられ、前記第１回転弁（１６４）、前記第２回転弁（１６５）内のいずれにも少なくとも１つの水通過孔（１６８）が設けられ、前記貫通孔、水通過孔（１６８）が互いに連通して通路を形成し、前記下部回転シェル（１６６）の上表面に少なくとも１つの突起ブロック（１７０）が設けられ、前記上部回転シェル（１６１）の下表面に少なくとも１つの滑り溝が設けられ、前記突起ブロック（１７０）が前記滑り溝（１７１）に係合され、前記上部回転シェル（１６１）がある角度回転すると、前記突起ブロック（１７０）が前記滑り溝（１７１）に当接されるようになって、前記第１回転弁（１６４）の水通過孔（１６８）と前記第２回転弁（１６５）の水通過孔（１６８）とがずれて閉じられるようになり、
前記第１回転弁（１６４）、前記第２回転弁（１６５）内の水通過孔（１６８）の個数がいずれも２つであり、前記水通過孔（１６８）の形状が扇形であり、
前記扇形の夾角が７０〜９０度であり、前記滑り溝（１７１）が円弧状滑り溝であり、前記円弧状滑り溝の弧度が７０〜９０度であることを特徴とするロータリー式ティーボトル。
【発明の詳細な説明】
【技術分野】
【０００１】
本発明は、ティーボトルに関し、特に、茶葉と水を上下に分離可能なロータリー式ティーボトルに関する。
【背景技術】
【０００２】
ティーボトルは生活の中でよく見られるお茶を入れるための容器である。現在、茶葉と水を上下に分離するティーボトルが一体型保温ボトル体である場合が多く、水を飲む際にとても熱く感じられるため、長すぎる時間をかけてしまうが、上容器と下容器に分割可能なコンポーネントタイプのティーボトルのボトル体が非常に少なく、それらは、まず、下容器に茶葉を入れてからボトル上口からお湯を入れるが、上容器と下容器との間が十分に密閉されないため水漏れがひどいという問題があった。また、ボトル蓋を開けてボトル上口からお湯を入れ、又はボトル蓋を閉じてからティーボトルを逆さまにして茶葉とお湯を十分に混合させてボトル内の水と熱交換するとき、上容器と下容器との間の水通過口の設計が非合理的であって、ボトル体内が空気により分離されるので、お湯が上容器と下容器との間をスムーズに流れることが不可能となり、茶葉とお湯の混合及び熱交換効果が低い場合が多い。一般的にお茶を入れる時間は長すぎない方がよく、沸騰してから蓋を３〜５分間閉じることが好ましく、保温ボトル又は保温領域ではお茶を入れない方がよい。従来の一体型又はコンポーネントタイプのティーボトルはいずれも保温ボトル又は保温領域でお茶を入れるが、高温が連続すると茶葉中の栄養素を破壊してしまう。
【発明の概要】
【発明が解決しようとする課題】
【０００３】
従来技術の欠点を解決するために、本発明はロータリー式ティーボトルを提供し、その主な目的はコンポーネントタイプのティーボトルの上容器と下容器との気密性を確保することにあり、その他の目的はお湯が上容器と下容器との間をスムーズに流れることが不可能になるという問題を解決することにあり、その更なる目的は従来における保温ボトル又は保温領域でお茶を入れるとき、高温が連続すると茶葉中の栄養素を破壊するという問題を解決することにある。
【課題を解決するための手段】
【０００４】
本発明の目的は以下の技術案により実現される。
【０００５】
上端にボトル蓋が設けられるティーボトルを備え、前記ティーボトルがボトル体を備えるロータリー式ティーボトルであって、前記ティーボトルは更に回転アセンブリ、第２濾過網を備え、前記ボトル体は上容器、下容器を備え、前記第２濾過網が前記回転アセンブリに固定され、前記回転アセンブリは上部回転アセンブリ、下部回転アセンブリを含み、前記上部回転アセンブリが前記上容器に固定接続され、前記上部回転アセンブリが前記下部回転アセンブリに回転可能に固定され、前記下部回転アセンブリが前記下容器に固定接続され、前記上部回転アセンブリの下表面が前記下部回転アセンブリの上表面に当接され、前記上部回転アセンブリと前記下部回転アセンブリとの間に所定の粗度を維持し、前記上部回転アセンブリ、前記下部回転アセンブリ内のいずれにも少なくとも１つの貫通孔が設けられ、前記上部回転アセンブリの貫通孔が前記下部回転アセンブリの貫通孔に対応して連通しており、前記上部回転アセンブリがある角度回転すると、前記上部回転アセンブリの貫通孔と前記下部回転アセンブリの貫通孔とがずれて閉じられるようになる。
【０００６】
好ましくは、前記上部回転アセンブリは上部回転シェル、第１回転弁を備え、前記下部回転アセンブリは第２回転弁、下部回転シェルを備え、前記第２濾過網が前記上部回転シェルの上表面に固定され、前記上容器が前記上部回転シェルに固定接続され、前記第１回転弁が前記上部回転シェルに固定され、前記下部回転シェルが前記下容器に固定接続され、前記第２回転弁が前記下部回転シェルに固定され、前記第１回転弁の下表面が前記第２回転弁の上表面に当接され、前記第１回転弁と前記第２回転弁との間に所定の表面粗度を維持し、前記上部回転シェル、前記下部回転シェル内にいずれも貫通孔が設けられ、前記第１回転弁、前記第２回転弁内のいずれにも少なくとも１つの水通過孔が設けられ、前記貫通孔、水通過孔が互いに連通して通路を形成し、前記下部回転シェルの上表面に少なくとも１つの突起ブロックが設けられ、前記上部回転シェルの下表面に少なくとも１つの滑り溝が設けられ、前記突起ブロックが前記滑り溝に係合され、前記上部回転シェルがある角度回転すると、前記突起ブロックが前記滑り溝に当接されるようになって、前記第１回転弁の水通過孔と前記第２回転弁の水通過孔とがずれて閉じられるようになる。
【０００７】
好ましくは、前記回転アセンブリは更に回転軸を備え、前記上部回転シェルが前記回転軸に被装して固定され、前記回転軸内に貫通孔が設けられ、前記第１回転弁の上表面が前記回転軸の一端に固定される。
【０００８】
好ましくは、前記第１回転弁、前記第２回転弁内の水通過孔の個数がいずれも２つであり、前記水通過孔の形状が扇形又は三角形である。
【０００９】
好ましくは、前記水通過孔の近傍に導水部が設けられ、前記導水部と水平面とが夾角をなす。
【００１０】
好ましくは、前記回転アセンブリは更に密閉部材を備え、前記上容器と前記上部回転シェルとの接続箇所に前記密閉部材が設けられ、前記回転軸と前記上部回転シェルとの間に前記密閉部材が設けられ、前記回転軸と前記下部回転シェルとの間に前記密閉部材が設けられ、前記回転軸と前記第１回転弁との間に前記密閉部材が設けられ、前記上部回転シェルと前記下部回転シェルとの間に前記密閉部材が設けられ、前記弁固定台と前記第２回転弁との間に前記密閉部材が設けられる。
【００１１】
好ましくは、前記上部回転アセンブリの下表面と前記下部回転アセンブリの上表面の表面粗度の範囲が０．０１μｍ〜０．０６μｍである。
【００１２】
好ましくは、前記第２濾過網の内表面と前記回転軸の上表面との距離が５ｍｍ〜１０ｍｍである。
【００１３】
好ましくは、前記扇形の夾角が７０〜９０度であり、前記滑り溝が円弧状滑り溝であり、前記円弧状滑り溝の弧度が７０〜９０度である。
【００１４】
好ましくは、前記回転アセンブリは更に弁固定台を備え、前記第２回転弁の下表面が前記弁固定台の上表面に固定され、前記下部回転シェルが前記弁固定台に固定され、前記第１回転弁、前記第２回転弁がいずれも前記下部回転シェルの貫通孔内に位置する。
【００１５】
好ましくは、前記上容器のボトル壁が中実構造であり、前記下容器のボトル壁内に保温室が設けられる。
【００１６】
好ましくは、前記ティーボトルは更に第１濾過網を備え、前記第１濾過網が前記上容器の上部に固定される。
【発明の効果】
【００１７】
従来技術に比べて、本発明は以下の有益な効果を有する。
【００１８】
（１）本発明はロータリー式ティーボトルを提供し、前記回転アセンブリでボトル体を上容器と下容器に分割し、回転アセンブリが閉じられると茶葉を貯蔵することに用いることができ、回転アセンブリが閉じられると平素お湯又はお茶を貯蔵することに用いることができる。前記上部回転アセンブリの下表面が前記下部回転アセンブリの上表面に当接され、前記上部回転アセンブリと前記下部回転アセンブリとの間に所定の粗度を維持することによって、コンポーネントタイプのティーボトルの上容器と下容器との気密性を確保することができる。
【００１９】
（２）本発明における前記回転軸内の貫通孔によってお湯の流過面積を局部的に集中し、内部に比較的大きな圧力の強さと圧力勾配を形成させ、ティーボトルを逆さまにすると、お湯が保温領域からお茶入れ領域に迅速に入ることに役立ち、お湯が迅速にお茶入れ領域で冷却し、２つの扇形水通過孔の設計によって流過面積を増加させ、前記上部回転シェルを回転する際に２つの扇形水通過孔を同時に開閉することに役立ち、それによりお湯が下容器から上容器にスムーズに流れ込むことが可能になり、導水部を所定傾斜度で設置する理由は、排水箇所で所定の圧力勾配を形成し、お湯を下容器から上容器に更にスムーズに流れ込ませるためであり、それによりお湯が上容器と下容器との間をスムーズに流れることが不可能になるという問題を更に解決した。
【００２０】
（３）本発明における前記回転アセンブリ内の各部品同士、前記回転アセンブリと上下容器とがいずれも密閉部材で接続され、その理由は、前記回転アセンブリ内の各部品同士、前記回転アセンブリと上下容器との間の隙間を密閉することで水漏れを防止して、コンポーネントタイプのティーボトルの上容器と下容器との気密性の問題を解決するためである。前記第１回転弁の下表面と前記第２回転弁の上表面とが十分な円滑性を維持しなければ水分をロックできず、それらの表面粗度の範囲がいずれも０．０１μｍ〜０．０６μｍであってもよい。よって、上容器と下容器との間の密閉問題を更に解決することができる。
【００２１】
（４）本発明における前記第２濾過網の内表面と前記回転軸の上表面との距離を５ｍｍ〜１０ｍｍに設計してもよい。前記第２濾過網による分離及び保温領域の比較的大きな空気圧のため、回転弁がオン状態にあるとき、お茶入れ領域内のお湯が下向きに保温領域に流れ込むことがないように確保することができる。
【００２２】
（５）本発明における前記上容器のボトル壁が中実構造であり、前記下容器のボトル壁内に保温室が設けられれば、前記上容器がお茶入れ領域であって、迅速冷却領域でもあり、前記下容器が保温領域であるように確保できる。前記上容器内でお茶を入れることは、従来の保温ボトル又は保温領域でお茶を入れるとき、高温が連続すると茶葉中の栄養素を破壊するという問題を解決できる一方、使用者がお茶を入れるとき、長すぎる時間をかけずに適宜温度のお湯を飲め、基本的にお茶を入れるだけで飲める効果を実現できる。
【００２３】
上記の説明は本発明の技術案の概要に過ぎず、本発明の技術的手段をより明確に理解して、明細書の内容に従って実施するために、以下に図面を参照しながら本発明の好適な実施例によって詳しく説明する。本発明の具体的な実施形態は以下の実施例及びその図面によって明確になる。
【図面の簡単な説明】
【００２４】
ここで説明される図面は本発明を更に理解するためのものであって、本願の一部となる。本発明の模式的な実施例及びその説明は本発明を解釈するためのものであり、本発明を制限するためのものではない。
【図１】本発明のロータリー式ティーボトルの構造模式図である。
【図２】本発明のロータリー式ティーボトルの内部構造模式図である。
【図３】本発明における回転アセンブリの内部構造模式図である。
【図４】本発明における回転アセンブリの分解図である。
【図５】本発明における第１回転弁の構造模式図である。
【図６】本発明における第１回転弁の二次元正面図である。
【図７】図６におけるＡ−Ａ方向の断面図である。
【図８】本発明における第１回転弁の二次元上面図である。
【図９】本発明における下部回転シェルの構造模式図である。
【図１０】本発明における上部回転シェルの構造模式図である。
【発明を実施するための形態】
【００２５】
以下、図１〜図１０における具体的な実施例を参照しながら、本発明を更に説明する。
【００２６】
以下、本発明の実施例の図面を参照しながら、本発明の実施例の技術案を明確、且つ完全に説明する。無論、説明される実施例は本発明の実施例の一部であり、実施例のすべてではない。本発明の実施例に基づき、当業者が創造的な労働を必要とせずに得られる他の実施例は、いずれも本発明の保護範囲に属する。
【００２７】
なお、アセンブリが他のアセンブリに「固定」されると称される場合、他のアセンブリに直接固定されてもよいし、介在されるアセンブリが存在してもよい。一方のアセンブリが他方のアセンブリに「接続」されると見なされる場合、他方のアセンブリに直接接続されてもよいし、同時に介在されるアセンブリが存在する可能性もある。一方のアセンブリが他方のアセンブリに「配置」されると見なされる場合、他方のアセンブリに直接配置されてもよいし、同時に介在されるアセンブリが存在する可能性もある。本明細書に使用される用語「垂直」、「水平」、「左」、「右」及び類似表現は説明のためのものである。
【００２８】
特に定義しない限り、本明細書に使用されるすべての技術用語及び科学用語は本発明の技術分野に属する当業者が一般に理解する意味と同じである。本明細書において、本発明の明細書に使用される用語は具体的な実施例を説明するためのものであり、本発明を制限するためのものではない。本明細書に使用される用語「及び／又は」は関連する列挙した項目のうちの１つ又は複数の任意及びすべての組み合わせを含む。
【００２９】
図１〜図２に示すように、本発明は上端にボトル蓋１１が設けられるティーボトル１を備え、前記ティーボトル１がボトル体を備えるロータリー式ティーボトルを提供し、前記ティーボトル１は更に回転アセンブリ１６、第２濾過網１５を備え、前記ボトル体は上容器１２、下容器１３を備え、前記第２濾過網１５が前記回転アセンブリ１６に固定され、前記回転アセンブリ１６は上部回転アセンブリ、下部回転アセンブリを含み、前記上部回転アセンブリが前記上容器１２に固定接続され、前記上部回転アセンブリが前記下部回転アセンブリに回転可能に固定され、前記下部回転アセンブリが前記下容器１３に固定接続され、前記上部回転アセンブリの下表面が前記下部回転アセンブリの上表面に当接され、前記上部回転アセンブリと前記下部回転アセンブリとの間に所定の粗度を維持し、前記上部回転アセンブリ、前記下部回転アセンブリ内でいずれも少なくとも１つの貫通孔が設けられ、前記上部回転アセンブリの貫通孔が前記下部回転アセンブリの貫通孔に対応して連通しており、前記上部回転アセンブリがある角度回転すると、前記上部回転アセンブリの貫通孔と前記下部回転アセンブリの貫通孔とがずれて閉じられるようになる。上容器１２と下容器１３との間の密閉問題を更に解決するために、前記上部回転アセンブリと前記下部回転アセンブリとが接触する表面は十分な円滑性を維持しなければ水分をロックできず、前記上部回転アセンブリの下表面と前記下部回転アセンブリの上表面の表面粗度の範囲は０．０１μｍ〜０．０６μｍに設計してもよい。
【００３０】
該実施例における前記固定接続は取り外し可能にされてもよいし、取り外し不可能にされてもよく、取り外し可能にされた場合、加工・組立及び故障した部品の取替に役立ち、取り外し不可能にされた場合、気密性を向上させて前記回転アセンブリを回転する際に誤操作が生じることを防止することが可能であり、前記第２濾過網１５と前記上部回転シェル１６１との固定形態はスナップ接続を選択してもよく、本実施例の使用方法は、まず、前記回転アセンブリ１６を回転することで前記下容器１３を開け、お湯を下容器１３に入れ、回転アセンブリ１６を閉じてから下容器１３に締め付けて、前記下容器１３は平素お湯を貯蔵することに用いられることができ、ボトル蓋１１を開けて第１濾過網１４を取り外し、上容器１２内に茶葉を入れて、前記上容器１２は平素茶葉を貯蔵することに用いられることができ、お茶を入れる必要があるとき、前記上部回転アセンブリを所定角度回転することで、前記上部回転アセンブリの貫通孔を前記下部回転アセンブリの貫通孔に対応して連通させ、ボトル蓋１１が閉じられた状態では、前記ティーボトル１を逆さまにして茶葉とお湯を十分に混合させ、お湯が回転アセンブリ１６を通って上容器１２に入って茶葉を漬けると、冷たい水とお湯との熱交換を完了し、最後に前記上部回転アセンブリを所定角度逆転すると、前記上部回転アセンブリの貫通孔と前記下部回転アセンブリの貫通孔とをずらせて閉じさせ、更にティーボトルを正置し、お茶入れが完了した後、ボトル蓋１１を開けて飲むことができると理解されたい。前記第２濾過網１５は茶葉を上容器のお茶入れ領域に分離することで回転アセンブリ１６を保護することに用いられ、それにより茶滓又は茶葉顆粒が前記回転アセンブリ１６内に堆積して汚れ又は閉塞物を形成することを避け、茶葉が下容器１３に入ることを避けることもでき、この時、下容器内に温度の高いお茶が貯蔵されて飲用に供される。
【００３１】
前記回転アセンブリ１６の設計はボトル体を上容器１２と下容器１３に分割することに役立ち、中実構造のため、ボトル内のお湯が外部と直接熱交換し、前記上容器１２はお茶を入れる領域でもあるし、お茶を迅速に冷却する領域でもあり、使用者がお茶を飲むとき、長すぎる時間をかけずに適切な温度のお湯を飲むことができ、基本的にお茶を入れるだけで飲める効果を実現でき、ユーザーエクスペリエンスを強化する。前記上容器１２は茶葉を貯蔵することに用いられてもよい。前記下容器１３は保温領域であり、回転アセンブリ１６の貫通孔が閉じられると、温度の高いお湯又はお茶を貯蔵するために用いることができる。
【００３２】
更に、図３及び図４に示すように、前記上部回転アセンブリは上部回転シェル１６１、第１回転弁１６４を備え、前記下部回転アセンブリは第２回転弁１６５、下部回転シェル１６６を備え、前記第２濾過網１５が前記上部回転シェル１６１の上表面に固定され、前記上容器１２が前記上部回転シェル１６１に固定接続され、前記第１回転弁１６４が前記上部回転シェル１６１に固定され、前記下部回転シェル１６６が前記下容器１３に固定接続され、前記第２回転弁１６５が前記下部回転シェル１６６に固定され、前記第１回転弁１６４の下表面が前記第２回転弁１６５の上表面に当接され、前記第１回転弁１６４と前記第２回転弁１６５との間に所定の表面粗度を維持し、前記上部回転シェル１６１、前記下部回転シェル１６６内にいずれも貫通孔が設けられ、前記第１回転弁１６４、前記第２回転弁１６５内にいずれも少なくとも１つの水通過孔１６８が設けられ、前記貫通孔、水通過孔１６８が互いに連通して通路を形成し、前記下部回転シェル１６６の上表面に少なくとも１つの突起ブロック１７０が設けられ、前記上部回転シェル１６１の下表面に少なくとも１つの滑り溝が設けられ、前記突起ブロック１７０が前記滑り溝１７１に係合され、前記上部回転シェル１６１がある角度回転すると、前記突起ブロック１７０が前記滑り溝１７１に当接されるようになって、前記第１回転弁１６４の水通過孔１６８と前記第２回転弁１６５の水通過孔１６８とがずれて閉じられるようになる。前記下容器１３、第１濾過網１４、第２濾過網１５の材質がいずれも３０４ステンレスを選択し、前記上容器１２、上部回転シェル１６１、下部回転シェル１６６がいずれもポリカルボナートを用いることができる。前記第１回転弁１６４、前記第２回転弁１６５の材質はいずれもセラミックのような比較的円滑な材料を用いてもよい。その理由はセラミック材料が弁同士の密閉に要求される粗度を満たすためである。
【００３３】
前記突起ブロック１７０が前記滑り溝１７１内を摺動し、前記突起ブロック１７０が前記滑り溝１７１の一端に当接されるまで移動した場合、前記滑り溝１７１が制限作用を果たし、前記第１回転弁１６４の水通過孔が閉じられるようになり、前記上部回転シェル１６１が逆方向に沿ってある角度回転した時、前記突起ブロック１７０が前記滑り溝１７１の他端に当接されるまで移動すると、前記第１回転弁１６４の水通過孔が前記第２回転弁１６５の水通過孔１６８に連通して、前記第１回転弁１６４の水通過孔が開けられるようになる。前記上部回転アセンブリを上部回転シェル１６１と第１回転弁１６４とに分けて、各部材の構造を簡単にし、加工及び取付も容易化し、気密性の問題の処理に役立つ。
【００３４】
更に、図３及び図４に示すように、前記回転アセンブリ１６は更に回転軸１６２を備え、前記第１回転弁１６４が前記回転軸１６２によって前記上部回転シェル１６１に固定され、前記上部回転シェル１６１が前記回転軸１６２に被装して固定され、前記回転軸１６２内に貫通孔が設けられ、前記第１回転弁１６４の上表面が前記回転軸１６２の一端に固定され、前記回転軸１６２内の貫通孔によってお湯の流過面積を局部的に集中し、内部に比較的大きな圧力の強さと圧力勾配を形成させ、ティーボトルを逆さまにするとき、お湯が迅速に保温領域からお茶入れ領域に入ることに役立ち、お湯がお茶入れ領域で迅速に冷却され、基本的にお茶を入れるだけで飲める効果を実現でき、茶葉とお湯の混合及び熱交換効果が高く、ユーザーエクスペリエンスを強化する。前記回転軸１６２を内錐柱状構造、すなわち前記回転軸１６２内の貫通孔を円錐状とし、開口を下向きにするように設計してもよい。よって、所定の導流作用を果たすことができる。
【００３５】
更に、図６〜図８に示すように、前記第１回転弁１６４、前記第２回転弁１６５内の水通過孔１６８の個数がいずれも２つであり、前記水通過孔１６８の形状が扇形であり、２つの前記扇形がそれらの共通の円心に関し対称であることが好ましく、２つの扇形の水通過孔１６８の設計によって流過面積を増加させることができ、前記上部回転シェル１６１を回転する際に２つの扇形の水通過孔１６８を同時に開閉することに役立ち、それによりお湯が下容器から上容器にスムーズに流れ込むことが可能になり、茶葉とお湯の混合及び熱交換効果が高く、無論、前記水通過孔１６８の形状を三角形又は他の鋭い角を持つ形状に設計してもよく、お湯の実際の流動状況に応じて調整してもよい。
【００３６】
更に、図５及び図７に示すように、前記水通過孔の近傍に導水部１６９が設けられ、前記導水部１６９と水平面とが夾角をなす。導水部１６９を所定傾斜度で設置する理由は、排水箇所で所定の圧力勾配を形成し、お湯を下容器から上容器に更にスムーズに流れ込ませるためであり、茶葉とお湯の混合及び熱交換効果が高い。
【００３７】
更に、図３に示すように、前記回転アセンブリ１６は更に密閉部材１６３を備え、前記上容器１２と前記上部回転シェル１６１との接続箇所には、前記上容器１２と前記上部回転シェル１６１との間の隙間を密閉することで水漏れを防止するための前記密閉部材１６３が設けられ、前記回転軸の円周面には、前記密閉部材１６３を置くための複数の環状溝が設けられ、前記回転軸１６２と前記上部回転シェル１６１との間には、回転軸１６２と上部回転シェル１６１との間の隙間を密閉することで水漏れを防止するための前記密閉部材１６３が設けられ、前記回転軸１６２と前記下部回転シェル１６６との間には、回転軸１６２と下部回転シェル１６６との間の隙間を密閉することで水漏れを防止するための前記密閉部材１６３が設けられ、前記回転軸１６２と前記第１回転弁１６４との間には、回転軸１６２と第１回転弁１６４との間の隙間を密閉することで水漏れを防止するための前記密閉部材１６３が設けられ、前記上部回転シェル１６１と前記下部回転シェル１６６との間には、上部回転シェル１６１と下部回転シェル１６６との間の隙間を密閉することで水漏れを防止するための前記密閉部材１６３が設けられ、前記弁固定台１６７と前記第２回転弁１６５との間には、弁固定台１６７と第２回転弁１６５との間の隙間を密閉することで水漏れを防止するための前記密閉部材１６３が設けられる。好ましくは、前記密閉部材１６３がいずれもシリカゲルシールリングである。全体的には、密閉部材１６３の設計は上容器と下容器との間が十分に密閉できないため水漏れがひどいという問題を解決するためである。
【００３８】
更に、上容器１２と下容器１３との間の密閉問題を更に解決するために、前記第１回転弁１６４と前記第２回転弁１６５とが接触する表面は十分な円滑性を維持しなければ水分をロックできず、前記第１回転弁１６４の下表面と前記第２回転弁１６５の上表面の表面粗度の範囲が０．０１μｍ〜０．０６μｍである。
【００３９】
更に、図２に示すように、前記第２濾過網１５の内表面と前記回転軸１６２の上表面との距離を５ｍｍ〜１０ｍｍに設計してもよく、このように設計すれば、前記第２濾過網１５による分離及び保温領域のより大きな空気圧のため、回転弁がオン状態にあるとき、お茶入れ領域内のお湯が保温領域に下向きに流れ込むことがないことを確保することができる。
【００４０】
更に、図８に示すように、前記扇形の夾角を７０〜９０度に設計し、前記滑り溝が円弧状滑り溝であり、前記円弧状滑り溝の弧度が７０〜９０度であってもよい。前記扇形の夾角が９０度である場合、お湯が回転弁を通る流過面積は最も大きく、お湯を下容器から上容器にスムーズに流れ込ませることに更に役立つ。
【００４１】
更に、図３及び図４に示すように、前記回転アセンブリ１６は更に弁固定台１６７を備え、前記第２回転弁１６５が前記弁固定台１６７によって前記下部回転シェル１６６に固定され、前記第２回転弁１６５の下表面が前記弁固定台１６７の上表面に固定され、前記下部回転シェル１６６が前記弁固定台１６７に固定され、前記第１回転弁１６４、前記第２回転弁１６５がいずれも前記下部回転シェル１６６の貫通孔内に位置する。前記弁固定台１６７の設計によって前記第２回転弁１６５と前記弁固定台１６７との接続を安定的で確実にする。
【００４２】
更に、前記上容器１２のボトル壁が中実構造であり、前記下容器１３のボトル壁内に保温室が設けられ、このように、前記上容器はお茶入れ領域でもあるし、迅速冷却領域でもあり、回転アセンブリが閉じられると茶葉を貯蔵することに用いることができ、前記下容器が保温領域であり、回転アセンブリが閉じられると平素お湯又はお茶を貯蔵することに用いることができる。
【００４３】
更に、前記ティーボトルは更に第１濾過網１４を備え、前記第１濾過網１４が前記上容器１２の上部に固定され、前記第１濾過網１４は茶葉が口に入ることを防止することに用いられる。
【００４４】
前記第１回転弁１６４、前記第２回転弁１６５内の水通過孔１６８の個数は１つでも、２つ又は２つ以上であってもよく、ティーボトルの性能要件及び使用状況によって決定されてもよいと理解できる。また、回転弁の材質は永久磁石であってもよく、表面の円滑処理に加え、永久磁石の異極同士が引き合う特性を利用すると、水分のロックに役立つとともに、水が回転弁を通る際に水中の金属物質を吸着でき、所定の水質浄化作用を果たすことができる。
【００４５】
本発明はロータリー式ティーボトルを提供し、前記回転アセンブリでボトル体を上容器と下容器に分割し、前記上容器がお茶入れ領域でもあるし、迅速冷却領域でもあり、回転アセンブリが閉じられると茶葉を貯蔵することに用いることができ、前記下容器が保温領域であり、回転アセンブリが閉じられると平素お湯又はお茶を貯蔵することに用いることができる。前記上容器内でお茶を入れることは、従来の保温ボトル又は保温領域でお茶を入れるとき、高温が連続すると茶葉中の栄養素を破壊するという問題を解決できる一方、使用者がお茶を入れるとき、長すぎる時間をかけずに適温のお湯を飲むことができ、基本的にお茶を入れるだけで飲める効果を実現できる。
【００４６】
本発明における前記回転軸内の貫通孔によってお湯の流過面積を局部的に集中し、内部に比較的大きな圧力の強さと圧力勾配を形成させ、ティーボトルを逆さまにすると、お湯が迅速に保温領域からお茶入れ領域に入ることに役立ち、お湯がお茶入れ領域で迅速に冷却し、２つの扇形水通過孔の設計によって流過面積を増加させることができ、前記上部回転シェルを回転する際に２つの扇形水通過孔を同時に開閉することに役立ち、それによりお湯が下容器から上容器にスムーズに流れ込むことが可能になり、導水部を所定傾斜度で設置する理由は、排水箇所で所定の圧力勾配を形成し、お湯を下容器から上容器に更にスムーズに流れ込ませるためであり、それによりお湯が上容器と下容器との間をスムーズに流れることが不可能になるという問題を更に解決した。
【００４７】
以上の説明は、本発明の好適な実施例に過ぎず、本発明を制限するためのものではなく、当業者が明細書の図面及び以上の説明によって本発明をスムーズに実施できるが、当業者が本発明の技術案の範囲を逸脱せずに、以上に開示される技術的内容に基づき行った種々の変更、修飾及び進化する均等変化は、いずれも本発明の同等実施例であり、同時に、本発明の実質技術に基づき以上の実施例に対して行った同等変化の変更、修飾及び進化等は、いずれも本発明の技術案の保護範囲内に属する。
【符号の説明】
【００４８】
１  ティーボトル
１１  ボトル蓋
１２  上容器
１３  下容器
１４  第１濾過網
１５  第２濾過網
１６  回転アセンブリ
１６１  上部回転シェル
１６２  回転軸
１６３  密閉部材
１６４  第１回転弁
１６５  第２回転弁
１６６  下部回転シェル
１６７  弁固定台
１６８  水通過孔
１６９  導水部
１７０  突起ブロック
１７１  滑り溝
【図１】
0006806927.tif 000002
【図２】
0006806927.tif 000003
【図３】
0006806927.tif 000004
【図４】
0006806927.tif 000005
【図５】
0006806927.tif 000006
【図６】
0006806927.tif 000007
【図７】
0006806927.tif 000008
【図８】
0006806927.tif 000009
【図９】
0006806927.tif 000010
【図１０】
0006806927.tif 000011